(57)【要約】      （修正有）【課題】通信異常の原因を区別して検出し、早期かつ確実に異常個所を特定することが可能な通信システム、受信装置、送信装置及び障害判定方法を提供すること。【解決手段】第１及び第２の通信装置が伝送路を介して通信を行う通信システム１０であって、第１の通信装置２０は、データ信号に基づいて第２の通信装置３０に向けて送信する送信光信号を生成する電気−光変換部と、データ信号に送信光信号の送信強度を示す送信強度情報を挿入するデータ挿入部と、を有する。第２の通信装置は、送信強度情報を含む受信光信号を受信電気信号に変換する光−電気変換部と、受信電気信号から送信強度情報を抽出するデータ抽出部と、受信光信号の受信強度を測定する測定部と、送信強度及び受信強度に基づいて、第１及び第２の通信装置間の通信状態を判定する比較判定部と、を有する。【選択図】図１
2017103510.tif 000002
【特許請求の範囲】
【請求項１】
第１及び第２の通信装置が伝送路を介して通信を行う通信システムであって、
前記第１の通信装置は、データ信号に基づいて前記第２の通信装置に向けて送信する送信光信号を生成する電気−光変換部と、前記データ信号に前記送信光信号の送信強度を示す送信強度情報を挿入するデータ挿入部と、を有し、
前記第２の通信装置は、前記送信強度情報を含む受信光信号を受信電気信号に変換する光−電気変換部と、前記受信電気信号から前記送信強度情報を抽出するデータ抽出部と、前記受信光信号の受信強度を測定する測定部と、前記送信強度及び前記受信強度に基づいて、前記第１及び第２の通信装置間の通信状態を判定する比較判定部と、を有することを特徴とする通信システム。
【請求項２】
前記比較判定部は、前記第１の通信装置の異常及び前記伝送路の異常間で異なる判定結果を示す判定信号を生成することを特徴とする請求項１に記載の通信システム。
【請求項３】
前記第１の通信装置は、前記送信光信号の強度を測定する測定部と、前記測定部の測定結果に基づいて前記送信強度情報を含むデータを生成し、前記データを前記データ挿入部に供給するデータ生成部と、を有することを特徴とする請求項１又は２に記載の通信システム。
【請求項４】
前記第２の通信装置は、前記比較判定部によって生成された前記判定結果を外部に通報する通報部を有することを特徴とする請求項２に記載の通信システム。
【請求項５】
前記通報部は、前記判定結果、前記送信強度及び前記受信強度を示す通報信号を生成することを特徴とする請求項４に記載の通信システム。
【請求項６】
前記受信光信号は、ＳＴＭフォーマットに基づいて構成され、前記送信強度情報は、前記ＳＴＭフォーマットにおけるセクションオーバーヘッドの空きバイトに挿入されていることを特徴とする請求項１乃至５のいずれか１つに記載の通信システム。
【請求項７】
伝送路を介して送信装置から送信され、前記送信装置の信号送信時における送信強度を示す送信強度情報を含む受信光信号を受信電気信号に変換する光−電気変換部と、
前記受信電気信号から前記送信強度情報を抽出するデータ抽出部と、
前記受信光信号の受信強度を測定する測定部と、
前記送信強度及び前記受信強度に基づいて、前記送信装置との間の通信状態を判定する比較判定部と、を有することを特徴とする受信装置。
【請求項８】
前記比較判定部は、前記送信装置の異常及び前記伝送路の異常間で異なる判定結果を示す判定信号を生成することを特徴とする請求項７に記載の受信装置。
【請求項９】
前記比較判定部によって生成された前記判定結果を外部に通報する通報部を有することを特徴とする請求項８に記載の受信装置。
【請求項１０】
前記通報部は、前記判定結果、前記送信強度及び前記受信強度を示す通報信号を生成することを特徴とする請求項９に記載の受信装置。
【請求項１１】
データ信号に基づいて受信装置に送信する送信光信号を生成する電気−光変換部と、
前記送信光信号の強度を測定する測定部と、
前記測定部の測定結果に基づいて、前記送信光信号の送信強度情報を含むデータを生成するデータ生成部と、
前記送信強度情報を前記データ信号に挿入するデータ挿入部と、を有することを特徴とする送信装置。
【請求項１２】
伝送路を介して送信装置から受信装置に送信され、前記送信装置の信号送信時における送信強度を示す送信強度情報を含む受信光信号の受信強度を測定するステップと、
前記受信光信号を受信電気信号に変換するステップと、
前記受信電気信号から前記送信強度情報を抽出するステップと、
前記送信強度及び前記受信強度に基づいて、前記送信装置及び前記受信装置間の通信状態を判定するステップと、を含むことを特徴とする障害判定方法。
【発明の詳細な説明】
【技術分野】
【０００１】
本発明は、通信システム、通信装置及び通信障害判定方法に関する。
【背景技術】
【０００２】
例えば、光通信システムは、電気信号を光信号に変換し、光信号によって情報の送受信を行う通信システムである。例えば、特許文献１には、光入力信号の入力断を検出してアラーム信号を出力する光入力断検出方式が開示されている。
【先行技術文献】
【特許文献】
【０００３】
【特許文献１】特開平10-229365号公報
【発明の概要】
【発明が解決しようとする課題】
【０００４】
例えば、通信装置の光電変換機能に障害が生じた場合、通信装置は通信規格から外れた信号を生成する場合がある。例えば、通信に用いる信号の強度が所定のレベルを下回ると、通信装置は、信号を情報（例えば音声や画像など）に変換することができなくなる場合がある。
【０００５】
上記は通信障害の一例であるが、通信障害は様々な要因によって引き起こされる。通信障害が生じた場合、保守管理者は、障害の原因を特定して対処する。早期に障害を解消するためには、早期に障害の原因を特定すること、例えば、早期に不良部品を特定することが要求される。
【０００６】
本発明は上記した点に鑑みてなされたものであり、通信異常の原因を区別して検出し、早期かつ確実に異常個所を特定することが可能な通信システム、受信装置、送信装置及び障害判定方法を提供することを目的としている。
【課題を解決するための手段】
【０００７】
本発明による通信システムは、第１及び第２の通信装置が伝送路を介して通信を行う通信システムであって、第１の通信装置は、データ信号に基づいて第２の通信装置に向けて送信する送信光信号を生成する電気−光変換部と、データ信号に送信光信号の送信強度を示す送信強度情報を挿入するデータ挿入部と、を有し、第２の通信装置は、送信強度情報を含む受信光信号を受信電気信号に変換する光−電気変換部と、受信電気信号から送信強度情報を抽出するデータ抽出部と、受信光信号の受信強度を測定する測定部と、送信強度及び受信強度に基づいて、第１及び第２の通信装置間の通信状態を判定する比較判定部と、を有することを特徴としている。
【０００８】
また、本発明による受信装置は、伝送路を介して送信装置から送信され、送信装置の信号送信時における送信強度を示す送信強度情報を含む受信光信号を受信電気信号に変換する光−電気変換部と、受信電気信号から送信強度情報を抽出するデータ抽出部と、受信光信号の受信強度を測定する測定部と、送信強度及び受信強度に基づいて、送信装置との間の通信状態を判定する比較判定部と、を有することを特徴としている。
【０００９】
また、本発明による送信装置は、データ信号に基づいて受信装置に送信する送信光信号を生成する電気−光変換部と、送信光信号の強度を測定する測定部と、測定部の測定結果に基づいて、送信光信号の送信強度情報を含むデータを生成するデータ生成部と、送信強度情報をデータ信号に挿入するデータ挿入部と、を有することを特徴としている。
【００１０】
また、本発明による通信障害判定方法は、伝送路を介して送信装置から受信装置に送信され、送信装置の信号送信時における送信強度を示す送信強度情報を含む受信光信号の受信強度を測定するステップと、受信光信号を受信電気信号に変換するステップと、受信電気信号から送信強度情報を抽出するステップと、送信強度及び受信強度に基づいて、送信装置及び受信装置間の通信状態を判定するステップと、を含むことを特徴としている。
【図面の簡単な説明】
【００１１】
【図１】実施例１に係る通信システムの構成を示すブロック図である。
【図２】（ａ）及び（ｂ）は、実施例１に係る通信システムにおける通信信号（受信装置が受信する信号）の構成例を示す図である。
【図３】実施例１に係る通信システムにおける受信装置の障害判定フローである。
【図４】実施例１に係る通信システムにおける障害判定内容を示す図である。
【発明を実施するための形態】
【００１２】
以下、本発明の実施例について詳細に説明する。
【実施例１】
【００１３】
図１は、実施例１に係る通信システム１０の構成を示すブロック図である。本実施例においては、通信システム１０は、２つの通信装置（第１及び第２の通信装置）２０及び３０が伝送路４０を介して通信を行う構成を有する。本実施例においては、伝送路４０は、光ファイバからなる。すなわち、通信装置２０及び３０は光通信装置であり、通信システム１０は光通信システムである。
【００１４】
以下においては、通信装置２０及び３０はそれぞれ端末（図示せず）に接続され、通信装置２０から通信装置３０にデータ信号を送信する場合について説明する。すなわち、本実施例においては、第１の通信装置２０は送信装置として機能（動作）し、第２の通信装置３０は受信装置として機能（動作）する場合について説明する。以下においては、通信装置２０を送信装置と称し、通信装置３０を受信装置と称する。
【００１５】
送信装置２０は、外部（例えば端末）から供給された電気信号（データ信号）Ｓ０１に基づいて、受信装置３０に向けて送信する光信号（送信光信号）Ｓ０３を生成するＥＯ（電気−光）変換部２１を有する。ＥＯ変換部２１は、例えば、半導体レーザを含む。データ信号Ｓ０１は、例えば送信装置２０に接続された端末から供給される。送信光信号Ｓ０３は、送信装置２０から出力され、伝送路４０を介して受信装置３０に伝送される。
【００１６】
受信装置３０には、伝送路４０を介して伝送された送信光信号Ｓ０３が光信号（受信光信号）Ｓ１１として受信される。受信装置３０は、受信した光信号（受信光信号）Ｓ１１を電気信号（受信電気信号）Ｓ１３に変換するＯＥ（光−電気）変換部３１を有する。ＯＥ変換部３１は、例えば、フォトディテクタを含む。受信電気信号Ｓ１３は、データ抽出部３３を介して、出力電気信号Ｓ１５として、例えば、受信装置３０に接続された端末に供給される。
【００１７】
送信装置２０は、送信光信号Ｓ０３の信号強度を測定する測定部２２を有する。より具体的には、送信装置２０は、送信光信号Ｓ０３から測定用の送信光信号Ｓ０４を分岐する分岐部ＪＣ１を有する。分岐部ＪＣ１は、例えば、光カプラからなる。測定部２２は、分岐された送信光信号（測定用信号）Ｓ０４の信号強度（例えば光強度レベル）を測定する。例えば、測定部２２は、測定用信号Ｓ０４の入力に基づいて、所定期間の測定用信号Ｓ０４の強度を測定する。また、測定部２２は、測定結果、すなわち測定用信号Ｓ０４の信号強度の測定値（送信強度）を示す電気信号（送信強度信号）Ｓ０５を生成する。
【００１８】
また、送信装置２０は、送信強度信号Ｓ０５に基づいて、送信光信号Ｓ０３の信号強度データを生成するデータ生成部２３を有する。例えば、データ生成部２３は、信号強度データとして、通信システム１０の通信方式に基づいた電気信号（挿入用信号）Ｓ０６を生成する。また、送信装置２０は、挿入用信号Ｓ０６に基づいて、データ信号Ｓ０１に送信光信号Ｓ０３の信号強度データ（送信強度情報）を挿入するデータ挿入部２４を有する。データ挿入部２４は、データ信号Ｓ０１に送信強度データを挿入し、送信強度情報付きデータ信号Ｓ０２を生成する。
【００１９】
ＥＯ変換部２１は、データ挿入部２４によって生成（挿入）された送信強度情報付きデータ信号Ｓ０２に対して光電変換を行う。すなわち、送信光信号Ｓ０３には、送信光信号Ｓ０３の信号強度を示すデータ（情報）が含まれている。
【００２０】
受信装置３０は、受信光信号Ｓ１１の信号強度を測定する測定部３２を有する。より具体的には、受信装置３０は、受信光信号Ｓ１１から測定用の受信光信号Ｓ１２を分岐する分岐部ＪＣ２を有する。分岐部ＪＣ２は、例えば、光カプラからなる。測定部３２は、分岐された受信光信号（測定用信号）Ｓ１２の信号強度（例えば光強度レベル）を測定する。また、測定部３２は、測定結果、すなわち測定用信号Ｓ１２の信号強度の測定値（受信強度）を示す電気信号（受信強度信号）Ｓ１６を生成する。
【００２１】
例えば、測定部３２は、測定用信号Ｓ１２の入力に基づいて、所定期間の測定用信号Ｓ１２の強度を測定する。測定部３２は、測定部２２が測定用信号Ｓ０４の強度を測定する条件と同じ条件で、測定用信号Ｓ１２の信号強度を測定する。
【００２２】
受信装置３０は、受信電気信号Ｓ１３から、送信装置２０における信号送信時の信号強度、すなわち送信光信号Ｓ０３の強度を示すデータ（送信強度情報）を抽出するデータ抽出部３３を有する。ここで、上記したように、受信光信号Ｓ１１には、送信装置２０の信号送信時の信号強度を示すデータが含まれている。従って、受信光信号Ｓ１１がＯＥ変換部３１により変換されて得られた受信電気信号Ｓ１３には、送信強度情報が含まれている。
【００２３】
データ抽出部３３は、受信電気信号Ｓ１３から当該送信強度データを抽出し、送信光信号Ｓ０３の強度を示す電気信号（送信強度信号）Ｓ１４を生成する。例えば、信号Ｓ１４は、送信装置２０内で測定部２２によって生成される送信強度信号Ｓ０５と同様の信号である。
【００２４】
また、データ抽出部３３は、ＯＥ変換部３１によって生成された受信電気信号Ｓ１３から送信強度情報のデータが抽出された出力電気信号Ｓ１５を生成する。出力電気信号Ｓ１５は、端末に送信され、端末によって情報化される。すなわち、本実施例においては、データ抽出部３３は、受信電気信号Ｓ１３から送信強度情報を切り離し、送信強度信号Ｓ１４として比較判定部３４に供給する。一方、データ抽出部３３は、送信強度情報を含まない出力電気信号Ｓ１５を生成し、外部に出力する。
【００２５】
受信装置３０は、測定部３２によって生成された受信強度信号Ｓ１６と、データ抽出部３３によって生成された送信強度信号Ｓ１４とを比較し、送信装置２０及び受信装置３０間の通信状態を判定する比較判定部３４を有する。すなわち、比較判定部３４は、送信時の通信信号及び受信時の通信信号の両方の強度に基づいて、通信システム１０の通信状態を判定する。比較判定部３４は、通信システム１０内の通信状態の判定結果を示す電気信号（判定信号）Ｓ１７を生成する。
【００２６】
また、受信装置３０は、判定信号Ｓ１７に基づいて、通信システム１０内の通信状態を外部に通報する通報部３５を有する。通報部３５は、比較判定部３４の判定結果を外部に通報する通報信号Ｓ１８を生成する。例えば、通報部３５は、判定信号３４が通信システム１０の通信異常を示す場合、通報信号Ｓ１８を生成し、外部に出力する。例えば、通報信号Ｓ１８は、監視用端末に送信される。
【００２７】
図２（ａ）は、受信装置３０が受信する受信光信号Ｓ１１、すなわち送信装置２０によって生成される送信光信号Ｓ０３の信号形式（フォーマット）を示す図である。図２（ａ）に示すように、本実施例においては、受信光信号Ｓ１１は、セクションオーバーヘッドＳＯＨ及びバーチャルコンテナＶＣからなるＳＴＭ（Synchronous Transfer Mode：同期転送モード）形式のフレームフォーマット（ＳＴＭフォーマット）Ｆ１に基づいて構成されている。すなわち、本実施例においては、通信システム１０は、ＳＤＨ（Synchronous Digital Hierarchy：同期デジタルハイアラーキ）方式を用いた通信システムである。
【００２８】
受信光信号Ｓ１１は、ＳＴＭフォーマットＦ１のセクションオーバーヘッドＳＯＨ内の空きバイト（本実施例においてはＺ１バイト）に対応する部分に、送信装置２０の送信強度情報ＴＯＰを含む。本実施例においては、送信強度情報ＴＯＰは、データ生成部２３によってビットデータとして生成され、データ挿入部２４によってセクションオーバーヘッドＳＯＨ内に挿入される。
【００２９】
なお、受信光信号Ｓ１１の形式はＳＴＭフォーマットＦ１に限定されるものではない。例えば、図２（ｂ）は、イーサネット（登録商標）のフレームフォーマットＦ２に基づいて受信光信号Ｓ１１Ａを構成する場合の受信光信号Ｓ１１Ａの構成例である。通信信号にフォーマットＦ２を用いる場合、通信システム１０は、イーサネット（登録商標）を用いた通信システムとなる。受信光信号Ｓ１１Ａを用いる場合、送信強度情報ＴＯＰは、例えばイーサネット（登録商標）のフレーム内におけるデータ部に追加される。このようにして、送信光信号Ｓ０３、すなわち受信光信号Ｓ１１又はＳ１１Ａには、送信強度情報ＴＯＰが挿入（追加）される。受信装置３０のデータ抽出部３３は、この送信強度情報ＴＯＰを抽出し、比較判定部３４に供給する。
【００３０】
本実施例においては、上記したように、通信装置３０が受信光信号Ｓ１１の強度を測定する測定部３２を有する。また、通信装置３０には、通信装置２０の送信時の信号強度、すなわち送信光信号Ｓ０３の信号強度を含む受信光信号Ｓ１１が供給される。また、通信装置３０は、送信光信号Ｓ０３及び受信光信号Ｓ１１の両方の信号強度に基づいて通信システム１０の通信状態、例えば通信障害を判定する比較判定部３４を有する。従って、例えば、送信側の異常と伝送路の異常とを区別して判定することができる。これによって、通信障害の発生時における異常個所の特定を、早急かつ確実に行うことができる。
【００３１】
図３は、受信装置３０の障害判定フローを示すフロー図である。図３を用いて、受信装置３０を用いた通信障害判定方法について説明する。まず、受信装置３０は、送信装置２０から、送信装置２０の送信強度情報ＴＯＰ付き受信光信号Ｓ１１を受信する（ステップＳＴ１０）。次に、分岐部ＪＣ２によって、受信光信号Ｓ１１を分岐する（ステップＳＴ２０）。続いて、測定部３２によって、分岐された受信光信号Ｓ１２の強度（受信強度）を測定する（ステップＳＴ３０）。
【００３２】
続いて、ＯＥ変換部３１によって、受信光信号Ｓ１１に光電変換を行い、受信電気信号Ｓ１３を生成する（ステップＳＴ４０）。次に、データ抽出部３３によって、受信電気信号Ｓ１３から送信強度情報ＴＯＰを抽出する（ステップＳＴ５０）。続いて、比較判定部３４によって、測定された受信強度及び抽出された送信強度を比較し、通信状態（例えば通信障害の有無）を判定する（ステップＳＴ６０）。次に、通報部３５によって、外部に当該判定結果を通報する（ステップＳＴ７０）。このようにして受信装置３０の障害判定フローは終了する（ステップＳＴ８０）。
【００３３】
なお、通信システム１０内に障害が生じていない場合、判定結果を通報する必要はない。すなわち、このフローは、通信障害の有無において、通報ステップＳＴ７０を省略することができる。
【００３４】
上記ステップを経ることで、通信装置２０及び３０において、送信時の信号強度及び受信時の信号強度を比較することで、通信システム１０内の通信障害を判定（監視）することができる。従って、通信状態を詳細に検出し、異常発生時には早期に異常個所を特定することができる。
【００３５】
図４は、受信装置３０の比較判定部３４における判定条件及び判定内容を示す図である。図４を用いて、比較判定部３４の判定内容（判定結果）について説明する。まず、本実施例においては、受信装置３０には、送信装置２０の送信時における信号強度の規格（上下限）Ａmax及びＡminと、受信装置３０の受信時における信号強度の規格（上下限）Ｂmax及びＢminと、例えばユーザによって設定された閾値Ｃとが格納されている。なお、送信装置２０及び受信装置３０には、分岐部ＪＣ１及びＪＣ２（光カプラ）が設けられているなど、正常な通信状態であっても光が減衰する部材が設けられている。上記した強度規格上下限は、これらの設計上の減衰量を考慮して設定されている。
【００３６】
まず、比較判定部３４は、データ抽出部３３の抽出によって得られた送信強度測定値Ａと、送信強度規格上限Ａmax及び送信強度規格下限Ａminとを比較する（条件１）。比較判定部３４は、送信強度測定値Ａが送信規格下限Ａmin未満の場合、送信装置２０に異常が生じていると判定する。同様に、送信強度測定値Ａが送信規格上限Ａmaxよりも大きい場合、比較判定部３４は、送信装置２０に異常が生じていると判定する。これらは、例えば、送信装置２０の光電変換部２１に異常が生じている場合など、送信装置２０内に異常が生じている場合が想定されるからである。
【００３７】
条件１において、送信強度測定値Ａが送信強度規格上限Ａmax及び送信強度規格下限Ａminの範囲内の場合、比較判定部３４の判定フローは条件２に進む。条件２では、比較判定部３４は、測定部３２の測定によって得られた受信強度測定値Ｂと、受信強度規格上限Ｂmax及び受信強度規格下限Ｂminとを比較する。まず、受信強度測定値Ｂが受信強度規格上限Ｂmaxよりも大きい場合、又は受信強度規格下限Ｂmin未満の場合、比較判定部３４は、伝送路に異常が生じていると判定する。これらは、例えば伝送路（光ファイバ）の破損など、伝送路に異常が生じている場合が想定されるからである。
【００３８】
条件２において、受信強度測定値Ｂが受信強度規格上限Ｂmax及び受信強度規格下限Ｂminの範囲内の場合、比較判定部３４の判定フローは条件３に進む。条件３では、比較判定部３４は、送信強度測定値Ａと受信強度測定値Ｂとを比較する。比較判定部３４は、送信強度測定値Ａと受信強度測定値Ｂとの差が閾値Ｃよりも大きい場合、伝送路の劣化が生じていると判定する。一方、比較判定部３４は、送信強度測定値Ａと受信強度測定値Ｂとの差が閾値Ｃ以下の場合、通信状態は正常であること、すなわち通信障害が生じていないと判定する。
【００３９】
比較判定部３４は、これらの判定内容を示す判定信号Ｓ１７を通報部３５に供給する。比較判定部３４は、これらの判定内容毎に異なる判定信号Ｓ１７を生成する。また、判定信号Ｓ１７には、比較判定部３４による判定結果と、送信光信号Ｓ０３の送信強度と、受信光信号Ｓ１１の受信強度と、が含まれる。通報部３５は、例えば、通信状態が正常である場合を除く判定信号Ｓ１７を受信した場合、外部（例えば監視端末）に通報信号Ｓ１８を出力する。例えば、通報部３５は、比較判定部３４による判定結果と、送信光信号Ｓ０３の送信強度と、受信光信号Ｓ１１の受信強度と、を示す通報信号Ｓ１８を外部に出力する。
【００４０】
このように、比較判定部３４は、送信強度及び受信強度の両方を用いることで、例えば、送信装置２０の異常と伝送路の異常とを分けて判定する。従って、異常個所の特定の検討時間や対策時間を短縮することができる。また、判定内容に加えて各信号強度の測定値を外部に出力（通報）することで、管理者に多くの判断材料を提供することができる。
【００４１】
本実施例においては、通信装置２０及び３０が伝送路を介して接続された通信システム１０において、通信装置３０が送信時及び受信時の両方の信号強度に基づいて通信システム１０内の通信状態を判定する比較判定部３４を有する。従って、詳細に通信状態を判定し、障害時に異常個所を早期に特定することが可能な通信システム１０を提供することができる。
【００４２】
なお、本実施例においては、送信装置２０が送信強度情報ＴＯＰ付き受信光信号Ｓ１１を供給する場合について説明したが、受信光信号Ｓ１１は、例えば他の通信装置を経由して受信装置３０に供給されてもよい。また、通信装置２０が測定部２２やデータ生成部２３を有する場合について説明したが、挿入用データは他の装置によって生成されてもよい。換言すれば、受信装置３０に、送信強度情報ＴＯＰを含む受信光信号Ｓ１１が供給されればよい。また、送信光信号Ｓ０３が受信装置３０に送信される場合について説明したが、送信光信号Ｓ０３は他の受信装置に送信されてもよい。すなわち、送信装置２０及び受信装置３０のいずれか一方のみであっても、他方の機能を補完する装置及び部材が設けられていればよい。
【００４３】
また、受信装置３０がデータ抽出部３３、比較判定部３４及び通報部３５を有する場合について説明した。しかし、通信装置２０など、他の通信装置がデータ抽出や測定、比較判定を行ってもよい。すなわち、図３に示す様なフロー（ステップ）を経ることで、同様の効果を得ることができる。換言すれば、図３に示すステップを実行することで、詳細に異常を検出し、早期に異常個所を特定することが可能な障害判定方法を提供することができる。
【００４４】
また、比較判定部３４が図４に示すような判定動作を行う場合について説明したが、この判定動作（判定内容）は一例に過ぎない。例えば、本実施例においては、通報信号Ｓ１８には、判定結果の他、送信強度や受信強度の測定値を示す情報が含まれるため、保守管理者側で様々な検討を行うことができる。従って、実際の接続構成に応じて他の判定内容を比較判定部３４に設定することができる。これらは、比較判定部３４が伝送前後の両方の信号強度をもとに障害判定を行うことで可能になる。また、例えば、他の複数の通信装置や通信装置３０自身の状態も含めたより詳細な判定を行うことも可能である。
【００４５】
また、本実施例においては、通信システム１０が光通信を行う場合について説明したが、通信システム１０は、光通信を行う場合に限定されない。例えば通信システム１０は、電気通信を行うシステムであってもよい。この場合、送信装置２０及び受信装置３０に光電変換部が設けられる必要はない。また、測定部２２は、データ信号Ｓ０１の強度を測定し、測定部３２は、受信したデータ信号（受信電気信号）の強度を測定すればよい。
【符号の説明】
【００４６】
１０  通信システム
２０  第１の通信装置（送信装置）
３０  第２の通信装置（受信装置）
４０  伝送路
Ｓ０１  データ信号
Ｓ０３  送信光信号
Ｓ１１  受信光信号
Ｓ１３  受信電気信号
ＴＯＰ  送信強度情報
３１  光電変換部
３２  測定部
３３  データ抽出部
３４  比較判定部
３５  通報部
【図１】
2017103510.tif 000003
【図２】
2017103510.tif 000004
【図３】
2017103510.tif 000005
【図４】
2017103510.tif 000006